(57)【要約】【課題】  繰返し使用することができ、肌にやさしく、且つ吸収した体液の漏洩を効果的に防止する体液吸収パッドを提供する。【解決手段】  地肌に接する部分に布６を用いた体液吸収パッド１において、体液を吸収するための吸収体８を設け、前記体液吸収パッド１を略長円形状に形成し、前記体液吸収パッド１の幅方向の略中心部に前記体液吸収パッド１の長手方向の全長または略全長にわたって略平行に延びる複数の縫着線１１、１２を形成し、該縫着線１１、１２どうしの間に前記吸収体８を設ける。【選択図】  図１
2006314625.tif 000002
【特許請求の範囲】
【請求項１】
地肌に接する部分に布を用いた体液吸収パッドにおいて、
体液を吸収するための吸収体を設け、
前記体液吸収パッドを略長円形状に形成し、
前記体液吸収パッドの幅方向の略中心部に前記体液吸収パッドの長手方向の全長または略全長にわたって略平行に延びる複数の縫着線を形成し、少なくとも該縫着線どうしの間に前記吸収体を設けたことを特徴とする体液吸収パッド。
【請求項２】
前記吸収体を前記体液吸収パッドの略全体に設けた請求項１に記載の体液吸収パッド。
【請求項３】
前記体液吸収パッドに前記吸収体に吸収された体液が地肌側に伝わらないようにする逆流防止層を設け、
前記逆流防止層の地肌側とは反対側に体液を吸収するための前記吸収体を設けた請求項１または２のいずれか一つに記載の体液吸収パッド。
【請求項４】
前記吸収体の地肌側とは反対側に防水加工された層を設けた請求項１乃至３のいずれか一つに記載の体液吸収パッド。
【請求項５】
前記吸収体と該逆流防止層とを重ね合わせた周縁部の全周にわたって体液が周縁部から漏れ出さないようにするための防水手段を設けた請求項３または４のいずれか一つに記載の体液吸収パッド。
【請求項６】
前記布と、前記逆流防止層と、前記吸収体とを前記縫着線で縫着した請求項３乃至５のいずれか一つに記載の体液吸収パッド。
【請求項７】
地肌に接する部分に布を用いた体液吸収パッドにおいて、
体液を吸収するための吸収体を前記体液吸収パッドの略全体に設け、
前記吸収体に吸収された体液が地肌側に伝わらないようにする逆流防止層とを設け、
前記吸収体の地肌側とは反対側に防水加工された層を設け、
前記吸収体と前記逆流防止層とを重ね合わせた周縁部の全周にわたって体液が周縁部から漏れ出さないようにするための防水手段を設けたことを特徴とする体液吸収バッド。
【請求項８】
前記体液吸収パッドを地肌と接する側から順に前記布と、前記逆流防止層と、前記吸収体と、前記防水加工された層と、布を用いた最下層との５層から形成された請求項３乃至７のいずれか一つに記載の体液吸収パッド。
【請求項９】
前記逆流防止層に光触媒を有する請求項３乃至８のいずれか一つに記載の体液吸収パッド。
【発明の詳細な説明】
【技術分野】
【０００１】
本願発明は、繰返し利用することができる体液吸収パッドに関する。
【背景技術】
【０００２】
従来より、生理時に出てくる経血を吸収する体液吸収パッドの一つである紙製ナプキンはよく知られている。この紙製ナプキンはたいていの場合、一回使っただけで、トイレなどの所定の場所に捨てるため、経血から発生する異臭や細菌を地肌に滞留させることなく、地肌を清潔な状態に保つことができる。しかし、装着後ある程度時間が経過した後に、定期的に紙製ナプキンを交換する必要があるため、月経期には多くの紙製ナプキンを使用し廃棄しなければならなかった。
【０００３】
そこで、この問題を解決するために繰返し使用可能なナプキンが数多く考案されている（例えば、特許文献１参照）。また、繰返し使用を目的としたナプキンと同様の構造を有する尿取りパッドは、温度によって吸排水ができる機能を備えているため、尿取りパッド着用時には尿を吸収し、取外して体温以上の温水で洗濯する場合は尿を排出することができ、尿取りパッドに尿が滞留しにくいような構造になっているものも考案されている（例えば、特許文献２参照）。
【特許文献１】特開２００２−３５０３５号公報
【特許文献２】特開２００５−６６１２５号公報
【発明の開示】
【発明が解決しようとする課題】
【０００４】
しかしながら、従来の繰り返し使用可能な紙製ナプキンの場合には、経血を洗い流して再使用するために耐久性を上げており、そうすると地肌と接触するところの肌触りが悪くなり、長時間着用時に不快感を感じることがあった。また、経血の滞留により発生する臭い等により、不快感を感じることもあった。そして、ナプキンは主に経血を吸収させるものであるため、血特有の問題、例えば血の凝結が発生するため、尿取りパッドをそのままナプキンに使用することは出来ない。また、傷パッドとは異なり、ナプキンは患部に直接当てるものではないため、患部と傷パッドが直接接触することによって生じる機能、例えば患部保護のための接触部の機能（特殊な材質を使用するなど）がナプキンには必要なく、逆にこの機能がナプキンには問題（肌触りが悪くなる等）となり、傷パッドをそのままナプキンに使用することができない。
【０００５】
そこで、本発明は繰返し使用することができ、肌にやさしく、且つ吸収した体液の漏洩を効果的に防止する体液吸収パッドを提供することを目的としている。
【課題を解決するための手段】
【０００６】
上記課題を解決するため、本願発明の体液吸収パッドは、地肌に接する部分に布を用いた体液吸収パッドにおいて、体液を吸収するための吸収体を設け、前記体液吸収パッドを略長円形状に形成し、前記体液吸収パッドの幅方向の略中心部に前記体液吸収パッドの長手方向の全長または略全長にわたって略平行に延びる複数の縫着線を形成し、少なくとも該縫着線どうしの間に前記吸収体を設けたことを特徴とする。これにより、縫着線間のパッドが地肌側に隆起され、股間にフィットされるので、体液が効果的に吸収される。
【０００７】
また、上記構成において、前記吸収体を前記体液吸収パッドの略全体に設けた場合には、より広範囲に体液を吸収される。
【０００８】
また、前記体液吸収パッドに前記吸収体に吸収された体液が地肌側に伝わらないようにする逆流防止層を設け、前記逆流防止層の地肌側とは反対側に体液を吸収するための前記吸収体を設けた場合には、前記吸収体で吸収された体液が地肌に伝わるのを防ぎ、地肌に所謂サラサラ感が与えられる。
【０００９】
また、前記吸収体の地肌側とは反対側に防水加工された層を設けた場合には、体液を前記吸収体から下側に漏れることを防ぐ作用を発揮する。
【００１０】
また、前記吸収体と該逆流防止層とを重ね合わせた周縁部の全周にわたって体液が周縁部から漏れ出さないようにするための防水手段を設けた場合には、前記吸収体に吸収された体液が、パッドから外側に伝わることを防ぐ作用を発揮する。
【００１１】
また、前記布と、前記逆流防止層と、前記吸収体とを前記縫着線で縫着した場合には、前記布、前記逆流防止層、前記吸収体を一体となって地肌側に隆起させられると共に、縫着線から染み出した体液を前記防水加工された層でそれより下側に染み出さないように防ぐ作用を発揮する。
【００１２】
また、地肌に接する部分に布を用いた体液吸収パッドにおいて、体液を吸収するための吸収体を前記体液吸収パッドの略全体に設け、前記吸収体に吸収された体液が地肌側に伝わらないようにする逆流防止層とを設け、前記吸収体の地肌側とは反対側に防水加工された層を設け、前記吸収体と前記逆流防止層とを重ね合わせた周縁部の全周にわたって体液が周縁部から漏れ出さないようにするための防水手段を設けたことを特徴とする。これにより、前記吸収体と前記逆流防止層との周縁部全周から体液が外側に染み出すことを防ぐ作用を発揮する。
【００１３】
また、前記体液吸収パッドを地肌と接する側から順に前記布と、前記逆流防止層と、前記吸収体と、前記防水加工された層と、布を用いた最下層との５層から形成された場合には、更に効率よく体液を吸収でき、パッドの外部に体液が漏れることを防止する作用を発揮する。
【００１４】
また、前記逆流防止層に光触媒を有した場合には、体液から発生する臭いを消しや殺菌する作用を発揮する。
【発明の効果】
【００１５】
歩行時などのパッドの位置ズレが生じたときにでも、縫着線間のパッドを地肌側に隆起させることができ、股間にフィットさせることができるので、体液を効果的に吸収させることができる。また、吸収体と逆流防止層との周縁部全周から体液が漏れ出ることを防ぐことができる。
【発明を実施するための最良の形態】
【００１６】
本願発明の一実施形態を、図面を参照しつつ説明する。
【００１７】
図１は、本願発明の体液吸収パッドの一例である布製ナプキンの構成の一部を断面で示した斜視図である。（ａ）は斜視図、（ｂ）は断面図であり、（ｃ）は一部拡大断面図である。図２は、装着状態の図であり、（ａ）は斜視図、（ｂ）は前方から見たときの断面図である。
【００１８】
図１に示すように、布製ナプキン１は、パッド２と羽根３、４とから形成されており、パッド２は略長円形状をなし、パッド２の両側縁は内側にわずかに湾曲している。このパッド２の長手方向の中央部よりやや前側には、略半円形状の羽根３，４が取付けられている。この羽根３、４はパッド２を挟んで左右対称な位置に設けられており、パッド２を係止手段１６、１７で下着５（図２参照）に固定することができるようになっている。この係止手段１６、１７は、羽根の前後方向略中心部近傍でパッド２に取付けられていない側の端部に取付けられている。係止手段１６はパッド２の長手方向と略直角に複数個配置されており、係止手段１７と係止する際に下着５の大きさなどによってパッド２を下着５に取付けられるように調整可能に設けられている。また、パッド２の前端の略中央部近傍には略環状の吊部１８が設けられており、布製ナプキン１を吊るすことができるようになっている。そして、上記羽根３、４の内部にはある程度の硬さを持たせるために芯地１９、２０が羽根３、４の略全体にわたって設けられている。
【００１９】
上記パッド２は主に５層を有する構成になっている。一番上側（地肌に当る側を上側とする）にある第１層６（最上層）は布製の起毛地で形成されており、第１層６が地肌に接触したときに不快感が生じないように、柔らかい生地で形成されている。その下の第２層７（逆流防止層）は、例えばメッシュ地からなっている。また、このメッシュ地に光触媒を有してもよい。この場合、光触媒の特徴の一つである消臭及び殺菌作用は、パッド２に光が当ることにより経血によって発生する臭いを消すことができると共に、第１層６の細菌を減らし、第１層６が接触する地肌への細菌の付着を低減させることができる。この第２層７は、光触媒を有する糸状の繊維で編製されているメッシュ地であるので、図１（ｂ）に示すように、その編目から経血が通過し、その下にある第３層８（吸収層）に浸透していくようになっている。この第３層８は第２層７を通過した経血を吸収することができる吸収体で形成されており、吸収体は経血をよく吸収できる生地、例えば、綿、高吸水繊維、不織布や紙製布などが用いられている。この第３層８の下の第４層９（防水層）には経血などを通さないように防水加工がなされており、第１層６から第３層８を通過してきた経血がさらに下の層にいかないようになっている（図１（ｂ）の矢印）。この防水加工は第４層９の生地自体が防水作用をもつもの、または表面に防水塗装等を行ったもので形成されている。そして、第５層１０（最下層）には、第１層６とほぼ同様の起毛地で形成されているが、第１層６とは異なり地肌に直接接触することがないので、起毛地を用いなくてもよい。また、第２層７と地肌との間に第１層６が形成されているので、光触媒の消臭及び抗菌作用によって生じる地肌の疾患（かぶれ等）を防止することができる。
【００２０】
また、この層状に形成されたパッド２は長手方向に２本ほぼ平行に第１縫着線１１、１２で縫着されており、この第１縫着線１１、１２はパッド２の幅方向の中央部近傍に、幅方向をほぼ等分割されるように形成されている。この第１縫着線１１、１２は図１に示すように、第１層６から第３層８まで縫着されることにより一体化され、第４層９及び第５層１０は縫着されていない。これは、経血が第１縫着線１１、１２の糸を伝って第１層６から第３層８まで通過しても、第４層９を通過させないためである。また、パッド２の周縁部は、図１（ｃ）に示すように、中心部と同様に５層構造になっているが、その周縁部は第１層６、第２層７、第３層８、第４層９、第５層１０で縫着されており、地肌との接触ができるだけソフトになるように形成されていると共に、第１層６（最上層）と第５層１０（最下層）の間に防水加工された第４層９が設けられているため、第５層１０に経血が直接浸透することを防止することができる。そして、第１層６から第５層１０までを縫着することにより洗濯などによって第２層７と第３層８とが収縮することを防ぐこともできるが、第１層６、第４層９、第５層１０のみを縫着してもよい。
【００２１】
また、パッド２の第１層６から第５層１０と羽根３、４とは周縁部でそれぞれ揃うように、且つ布製ナプキン１を下着５に固定するときに左右の羽根３、４が互いに内側（幅方向で中心向き）に向くように、それぞれ縫着されている。
【００２２】
また、パッド２の第１縫着線１１、１２より周縁側には、第１縫着線１１、１２を挟んで互いに対向する位置に羽根３、４の取付部分を含む範囲に略円弧状の第２縫着線１４、１５が形成されている。この第２縫着線１４、１５も第１縫着線１１、１２と同様、第１層６から第３層８まで縫着されることにより一体化され、第４層９及び第５層１０は縫着されていない。これは前記同様、経血が糸を伝って第１層６から第３層８まで通過しても、第４層９を通過させないためである。そして、第１縫着線１１、１２と異なり、パッド２の幅方向の両端部に略円弧状で形成されることにより、パッド２を着用するときに、この第２縫着線１４、１５でパッド２が下側に曲がりやすくなり、歩行時にパッド２を股間に更にフィットさせることができる。そして、第３層８を第１縫着線１１と第１縫着線１２との間のみに設けて地肌に対するフィット性をより向上させることもできる。
【００２３】
また、パッド２の第２層７と第３層８とを重ね合わせた周縁部の全周にわたって、体液が外側に伝わらないようにするための略環状に形成された防水シート２３が、第２層７と第３層８とを挟み込むように設けられている。この防水シート２３は、第２層７と第３層８と共に重ね合わせた周縁部の全周にわたって縫着されている。この防水シート２３により、図１（ｂ）に示されている経血（雫印）が、最も経血を蓄えることができる第３層８に蓄えられたときに、図１（ｃ）に示される第３層８の端部に経血が伝わっても、パッド２の周縁部から外側に染み出すことを防ぐことができるようになっている。
【００２４】
図２に示すように、布製ナプキン１の取付方法としては、下着５の股部の適切な位置にこの布製ナプキン１を羽根３、４が開いた状態で押し当て、羽根３、４を下着５の股部後ろ側に交互にもっていき、羽根３、４に取付られている係止手段１６、１７で下着５の股部に固定する。この羽根３、４の内部には、芯地１９、２０が設けられているため、下着５の股部に固定するときに、ヨレなどによるダブつきを無くし、確実に固定することができるようになっている。これにより、ダブついた羽根３、４が大腿部１３にまとわり付かず、不快感を感じることが少なくなる。
【００２５】
図３は、布製ナプキン着用後、歩行している時のパッドの状態を示した図であり、（ａ）は上方から見た状態を模式的に示した平面図であり、（ｂ）は上方から経血などが滴下したときを模式的に示した断面図である。図４は、第１縫着線が無い布製ナプキンを着用後歩行している状態を上方から見た平面図である。
【００２６】
図３に示すように、第１層６に布を用いることにより、パッド２の幅方向の中央部近傍に設けられた第１縫着線１１、１２が、歩行時（図中矢印は大腿部の動く方向を示す）などの大腿部１３が交互に前後した場合に、２本の第１縫着線１１、１２間に皺２１を発生させることができ、第１層６から第３層８までを隆起部２２のように隆起させることができる。これにより、第１層６を股間にフィットさせることができ、パッド２が所定の位置からズレても、この隆起部２２に股間をフィットさせることができ、経血をこの隆起部２２から吸収させることができる。もし、この第１縫着線１１、１２がなければ、図４に示すように、皺２１はパッド２の左右端まで達し、地肌と第１層６との間に隙間が生じ、場合によってはその隙間から経血が漏れることになる。
【００２７】
図５は、布製ナプキンを折りたたむときの斜視図であり、（ａ）はパッドの前後を羽根を境に折りたたんだ図、（ｂ）は（ａ）の上から羽根を包み込んだ図である。
【００２８】
図５（ａ）に示すように、経血を吸収した布製ナプキン１をビニール袋等に入れて持ち運ぶ際、この布製ナプキン１が嵩張らないよう、パッド２の羽根３、４が取付けられているところを境に、前側と後側とを交互に上方に折り返して、経血が付着している面を包み込むようにした後、その折り返された前側及び後側のパッド２を、図５（ｂ）に示すように、その外側から羽根３、４が左右交互にパッド２を包み込み、係止手段１６、１７で左右の羽根３、４を止めて固定する。これにより、面積がパッド２着用時の約１／３になり、持ち運ぶ際に嵩張らず、また収容したビニール袋等から取り出す場合に手や服を汚すことを少なくすることができる。そして、布製ナプキン１を洗濯後、干しやすくするために、パッド２の前端に環状の吊部１８が設けられており（図１参照）、この吊部１８に紐を通したり、洗濯バサミなどで挟むことにより、パッド２自体が洗濯バサミ等で圧迫されることがなくなり、着用時の型崩れによる経血の漏れを低減させることができる。この吊部１８の取付け位置は、パッド２の前端に限定されるものではなく、例えば、パッド２の後端や側端、羽根３、４の外周端に取付けてもよい。また、吊部１８をパッド２の前端に取付けることにより、布製ナプキンの取付け方向の目印としても利用することができる（図１参照）。そして、係止手段１６、１７は羽根３、４を下着に取付けられる構造であればよく、フック、マジックテープ（登録商標）、両面テープ、ボタンなどを用いてもよい。この際、下着への取付けを調整できるように、係止手段１６のように複数個取付けることもできる。
【００２９】
また、体液吸収パッドである布製ナプキンの代わりに、母乳パッド、パンティーライナーに用いてもよい。そして、本願発明では布製ナプキンを下着に取り付けるための羽根が設けられているが、羽根を設けることなく両面テープなどで直接下着に取り付けてもよい。
【産業上の利用可能性】
【００３０】
経血、乳、尿などの体液が下着など着用している衣類に付着することから防止するものに利用することができる。
【図面の簡単な説明】
【００３１】
【図１】本願発明の体液吸収パッドの一例として布製ナプキンの構成の一部を断面で示した斜視図である。（ａ）は斜視図、（ｂ）は断面図であり、（ｃ）は一部拡大断面図である。
【図２】装着状態の図であり、（ａ）は斜視図、（ｂ）は前方から見たときの断面図である。
【図３】布製ナプキン着用後、歩行している時のパッドの状態を示した図であり、（ａ）は上方から見た状態を模式的に示した平面図であり、（ｂ）は上方から経血などが滴下したときを模式的に示した断面図である。
【図４】第１縫着線が無い布製ナプキンを着用後歩行している状態を上方から見た平面図である。
【図５】布製ナプキンを折りたたむときの斜視図であり、（ａ）はパッドの前後を羽根を境に折りたたんだ図、（ｂ）は（ａ）の上から羽根を包み込んだ図である。
【符号の説明】
【００３２】
１  布製ナプキン
２  パッド
３、４  羽根
５  下着
６  第１層（最上層）
７  第２層（光触媒層）
８  第３層（吸収層）
９  第４層（防水層）
１０  第５層（最下層）
１１、１２  第１縫着線
１３  大腿部
１４、１５  第２縫着線
１６、１７  係止手段
１８  吊部
１９、２０  芯地
２１  皺
２２  隆起部
２３  防水シート
【図１】
2006314625.tif 000003
【図２】
2006314625.tif 000004
【図３】
2006314625.tif 000005
【図４】
2006314625.tif 000006
【図５】
2006314625.tif 000007